(57)【要約】【課題】複数の電子機器における情報を、ユーザーが効率的に把握できるようにする。【解決手段】本発明の符号表示装置は、発光ダイオードにより明滅可能な光点を複数配列して構成され、符号を表示するための情報である符号情報に基づいて前記複数配列された光点により符号を表示するための符号表示部と、電子機器からの情報を取得する情報取得部と、前記情報取得部で取得した情報を符号情報に変換して符号表示部に出力する変換出力部とを有し、また必要に応じて更に、前記符号表示部が符号を表示する際に音を発生する出力音発生部や、異なる符号情報と対をなす出力音を蓄積した出力音蓄積部および符号情報に基づいて前記出力音蓄積部に蓄積されている出力音の中から前記符号情報と対応する出力音を取得する出力音取得部、或いは更にユーザーからの符号表示要求を受け付ける受付部を備えている。【選択図】      図２
2004219598.tif 000002
【特許請求の範囲】
【請求項１】
発光ダイオードにより明滅可能な光点を複数配列して構成され、符号を表示するための情報である符号情報に基づいて前記複数配列された光点により符号を表示するための符号表示部と、
電子機器からの情報を取得する情報取得部と、
前記情報取得部で取得した情報を符号情報に変換して符号表示部に出力する変換出力部と、
を有する符号表示装置。
【請求項２】
ＥＬ発光素子により明滅可能な光点を複数配列して構成され、符号を表示するための情報である符号情報に基づいて前記複数配列された光点により符号を表示するための符号表示部と、
電子機器からの情報を取得する情報取得部と、
前記情報取得部で取得した情報を符号情報に変換して符号表示部に出力する変換出力部と、
を有する符号表示装置。
【請求項３】
電球により明滅可能な光点を複数配列して構成され、符号を表示するための情報である符号情報に基づいて前記複数配列された光点により符号を表示するための符号表示部と、
電子機器からの情報を取得する情報取得部と、
前記情報取得部で取得した情報を符号情報に変換して符号表示部に出力する変換出力部と、
を有する符号表示装置。
【請求項４】
符号表示部が符号を表示する際に音を出力する出力音発生部を更に有する請求項１項〜請求項３のうちのいずれか一項記載の符号表示装置。
【請求項５】
符号情報と対をなす出力音を蓄積した出力音蓄積部と、
符号情報に基づいて前記出力音蓄積部に蓄積されている出力音の中から前記符号情報と対応する出力音を取得する出力音取得部と、
を更に有する請求項４記載の符号表示装置。
【請求項６】
ユーザーからの符号表示要求を受け付ける受付部を更に有する請求項１〜請求項５のうちのいずれか一項記載の符号表示装置。
【請求項７】
前記符号表示部の光点の配列は、光点を４個以上１００個以下配列したものである請求項１〜請求項６のうちのいずれか一項記載の符号表示装置。
【請求項８】
前記符号表示部の光点の配列は、光点をマトリックス状に配列した請求項１〜請求項７のうちのいずれか一項記載の符号表示装置。
【請求項９】
前記符号表示部の光点の配列は、光点を同心円状に配列した請求項１〜請求項７のうちのいずれか一項記載の符号表示装置。
【請求項１０】
前記光点は、符号を表示するための情報である符号情報に基づいて前記発光ダイオードの発光色が変化する請求項１に記載の符号表示装置。
【請求項１１】
前記変換出力部は、前記電子機器の情報のうち一部の情報のみを符号情報に変換することを特徴とする請求項１〜請求項１０のうちのいずれか一項記載の符号表示装置。
【請求項１２】
前記情報取得部は、複数種類の電子機器の制御信号を含む情報を取得可能である請求項１〜請求項１１のうちのいずれか一項記載の符号表示装置。
【請求項１３】
前記符号表示部は、腕時計の表示盤程度の大きさである請求項１〜請求項１２のうちのいずれか一項記載の符号表示装置。
【請求項１４】
前記符号表示部が、時計の表示盤に配置された請求項１〜請求項１３のうちのいずれか一項記載の符号表示装置。
【発明の詳細な説明】
【０００１】
【発明が属する技術分野】
本発明は、携帯電話や携帯情報端末（以下「ＰＤＡ」という）或いは携帯用のＭＤ再生装置等の種々の電子機器における情報を符号化して表示する符号表示装置に関する。
【０００２】
【従来の技術】
携帯の情報受信装置の先行技術として下記文献が公知である。
【特許文献１】特開平１１−６６０３８号公報  （第２−７頁、第１−１４図）
【０００３】
【発明が解決しようとする課題】
近年、現代社会において、携帯電話やＰＨＳ、ＰＤＡ、携帯用のＭＤ・ＣＤ・ＤＶＤ等のプレイヤー、ノート型パーソナルコンピュータ、ＧＰＳ（全地球測位システム装置）といった電子機器が広く普及している。そして、日常生活において外出する場合には、前述したような電子機器を一人の人間が携行することは稀ではなくなってきた。
【０００４】
しかしながら、例えば、移動中の電車内でＭＤに録音された音楽を聞きながら、ノート型パーソナルコンピュータのキーボートを打ち、また行き先までの距離をＧＰＳで確認したり、或いは途中で携帯電話の着信がある場合もあり、このような電子機器からの情報を一人の人間が常時、的確に把握することは容易ではないし、またこれら電子機器からの多くの情報が人のストレスや疲労を増長させる場合もある。
【０００５】
その一方、前述した種々の電子機器には、液晶ディスプレイ等の表示装置によって、メニュー、日付および曜日、時刻、電波状態、着信の有無といった多くの詳細情報が表示されるものの、ユーザーが実際に知りたい情報、すなわち必要な情報はごく一部である場合が多い。例えば、ＧＰＳでは、地図と共に現在地および目的地等が表示されるものの、ユーザーにとっては、当面、目的地まで行くのに目前の道をどちらに行けば良いのかさえ分かれば十分であり、目的地までの距離や所要時間はユーザーが知りたい時に見れば良い情報であって、道案内において常時知ることが必要な情報ではない。
【０００６】
本発明の目的は、日常使用している多くの電子機器における種々の情報のうち、ユーザーにとって、その時々に必要な情報だけを適宜符号化して表示するようにした符号表示装置を提供することにある。
【０００７】
【課題を解決するための手段】
本発明の符号表示装置は、発光ダイオードにより明滅可能な光点を複数配列して構成され、符号を表示するための情報である符号情報に基づいて前記複数配列された光点により符号を表示するための符号表示部と、電子機器からの情報を取得する情報取得部と、前記情報取得部で取得した情報を符号情報に変換して符号表示部に出力する変換出力部とを有し、また必要に応じて更に、前記符号表示部が符号を表示する際に音を発生する出力音発生部や、異なる符号情報と対をなす出力音を蓄積した出力音蓄積部および符号情報に基づいて前記出力音蓄積部に蓄積されている出力音の中から前記符号情報と対応する出力音を取得する出力音取得部、或いは更にユーザーからの符号表示要求を受け付ける受付部を備えている。ここで「符号表示要求」とは、符号情報をこの符号表示装置に対して表示させるための命令をいう。
【０００８】
本発明において、符号とは、電気機器における情報を伝達するために用いられる体系的な文字・図形・記号および数字等をいう。
【０００９】
なお、本発明の符号表示装置において、光点の数は通常、４個以上１００個以下の範囲となされる。前記光点はＬＥＤ又はＥＬ発光素子又は電球などを利用して発生させてもよい。
【００１０】
【発明の実施の形態】
次に、本発明の実施の形態を図面にしたがって説明する。
【００１１】
（実施形態１）
【００１２】
図１に示すように、本実施形態の符号表示装置は、あるビジネスマン（０１０１）が所有する腕時計（０１０２）に組み込まれている。そして、ビジネスマン（０１０１）は、携帯電話（０１０３）とＰＤＡ（０１０４）とノート型パーソナルコンピュータ（０１０５）とボイスレコーダー（０１０６）とを携行しており、これら電子機器における情報が腕時計（０１０２）に組み込まれた符号表示装置に送信される。
【００１３】
図２に示すように、符号表示装置（０２０１）は、発光ダイオードにより明滅可能な光点を複数配列して構成され、符号を表示するための情報である符号情報に基づいて前記複数配列された光点により符号を表示するための符号表示部（０２０２）と、前記電子機器（０１０３）〜（０１０６）からの情報を取得する情報取得部（０２０３）と、前記情報取得部（０２０３）で取得した情報を符号情報に変換して符号表示部（０２０２）に出力する変換出力部（０２０４）とを有する。
【００１４】
図３に示すように、前記符号表示部（０２０２）は、多数の発光ダイオード（０３０１）が腕時計（０１０２）の表示盤（０３０２）にマトリックス状に配列されてなるものである。前記符号表示部（０２０２）は多数のＥＬ発光素子または電球が腕時計（０１０２）の表示盤（０３０２）にマトリックス状に配列されてなるものでもよい。
【００１５】
前記情報取得部（０２０３）は、ビジネスマン（０１０１）が携行している携帯電話（０１０３）、ＰＤＡ（０１０４）、ノート型パーソナルコンピュータ（０１０５）およびボイスレコーダー（０１０６）から、それらに関する情報をブルートゥース等によって適宜受信する機能を有するものである。
【００１６】
ここで、前記電子機器（０１０３）〜（０１０６）からの情報を具体的に説明すると、例えば携帯電話（０１０３）では、電話の着信や電子メールの着信等の情報であり、ＰＤＡ（０１０４）では、スケジュールとして入力された情報等であり、ノート型パーソナルコンピュータ（０１０５）では、音楽情報の受信や電子メールの受信等の情報であり、ボイスレコーダー（０１０６）では、記録媒体の残量やバッテリー残量等の情報である。
【００１７】
そして、例えば携帯電話（０１０３）で電子メールの着信があった場合には図４に示すように、封筒を表す符号が符号表示部（０２０２）に表示され、電話の着信があった場合、図５に示すように、電話機を表す符号が表示される。
【００１８】
また、ＰＤＡ（０１０４）では、入力されたスケジュールの予定時刻が所定時間内に近づいたときに、図６に示すように、スケジュールを表す「Ｓ」の符号が表示され、この場合、スケジュールの予定時刻に近づくにつれて、即ちＰＤＡからの情報に応じて、前記「Ｓ」の符号の色が青から黄、そして赤へと変化していくようにしても良い。
【００１９】
ノート型パーソナルコンピュータ（０１０５）では、例えばインターネットによる音楽配信サービスによって、ある曲を受信した場合には、図７に示すように、音符が表示され、またボイスレコーダー（０１０６）では、記録媒体における残量やバッテリー残量が所定量より少なくなった場合には、図８に示すように、下向きの矢印が表示され、このとき、記録媒体とバッテリーとで色を変えるようにしても良い。
【００２０】
変換出力部（０２０４）は、前述した通り、情報取得部（０２０３）で取得した情報を符号情報に変換して符号表示部（０２０２）に出力するものであるが、具体的には、図９に示すように、前述した各電子機器（０１０３）〜（０１０６）における所定の情報と、これらと対をなす符号情報に関するテーブルを有し、該テーブルに基づいて変換した符号を出力する機能を有するものである。
【００２１】
そして、本実施形態の符号表示装置は、ＥＬ発光素子により明滅可能な光点を複数配列して構成され、符号を表示するための情報である符号情報に基づいて前記複数配列された光点により符号を表示するための符号表示部と、電子機器からの情報を取得する情報取得部と、前記情報取得部で取得した情報を符号情報に変換して符号表示部に出力する変換出力部と、を有してもよい。
【００２２】
また、本実施形態の符号表示装置は、電球により明滅可能な光点を複数配列して構成され、符号を表示するための情報である符号情報に基づいて前記複数配列された光点により符号を表示するための符号表示部と、電子機器からの情報を取得する情報取得部と、前記情報取得部で取得した情報を符号情報に変換して符号表示部に出力する変換出力部とを有してもよい。
【００２３】
次に、本実施形態の符号表示装置（０２０１）における処理の一例について述べると、図１０に示すように、先ず、電子機器（０００３）〜（０００６）から所定の情報を受信するまで待機し（ステップＳ１００１）、受信した場合には該情報を、これと対応する符号情報に変換し（ステップＳ１００２）、変換した情報を出力し（ステップＳ１００３）、最終的に出力した情報を符号表示する（ステップＳ１００４）。
【００２４】
本発明の符号表示装置によれば、日常、多忙なビジネスマンが携帯電話、ＰＤＡ、ノート型パーソナルコンピュータおよびボイスレコーダー等、種々の電子機器を携行する場合に、これら電子機器から必要な情報だけを効率的に取得してビジネスを遂行することができる。
【００２５】
（実施形態２）
【００２６】
図１１に示すように、本実施形態の符号表示装置は、サイクリングをしているある女性（１１０１）が所有している腕時計タイプの専用装置（１１０２）となされたものである。そして、前記女性（１１０１）は、携帯電話（１１０３）、ＧＰＳ端末（１１０４）、デジタルカメラ（１１０５）および携帯用ＭＤプレイヤー（１１０６）を携行しており、これら電子機器における情報が前記専用装置（１１０２）に送信される。
【００２７】
図１２に示すように、本実施形態の符号表示装置（１２０１）は、前記実施形態１における符号表示装置（０２０１）に、符号表示の際の出力音を発生する出力音発生部（１２０２）を付加したものである。
【００２８】
すなわち、本実施形態の符号表示装置（１２０１）は、発光ダイオードにより明滅可能な光点を複数配列して構成され、符号を表示するための情報である符号情報に基づいて前記複数配列された光点により符号を表示するための符号表示部（０２０２）と、前記電子機器（１１０３）〜（１１０６）からの情報を取得する情報取得部（０２０３）と、該情報取得部（０２０３）で取得した情報を符号情報に変換して符号表示部（０２０２）に出力する変換出力部（０２０４）と、符号表示部（０２０２）が符号を表示する際に音を出力する出力音発生部（１２０２）とを有する。
【００２９】
前記出力音発生部（１２０２）は、符号表示部（０２０２）における符号表示と同期して、符号が表示されることをユーザーに音で知らせる機能を有するもの（小型スピーカー等）であり、「ピッ」という短い音やメロディ等を発生する。
【００３０】
ここで、前記電子機器（１１０３）〜（１１０６）からの情報を具体的に説明すると、携帯電話（１１０３）からの情報は前記実施形態１における携帯電話（０１０３）の情報と同様であり、ＧＰＳ（１１０４）では、目的地まで行くための進行方向等の情報であり、デジタルカメラ（１１０５）では、写真撮影ができる残り枚数やバッテリー残量等に関する情報であり、携帯用ＭＤプレイヤー（１１０６）では、アルバムにおいて再生している曲の収録番号等の情報である。
【００３１】
そして、例えばＧＰＳ（１１０４）では、図１３に示すように、サイクリングをしている女性（１１０１）が進むべき進路を左右方向の矢印で表示し、デジタルカメラ（１１０５）では、図１４に示すように、カメラを意味する「Ｃ」と共に残り枚数表示をしたり、携帯用ＭＤプレイヤー（１１０６）ではプレイヤーを意味するＰと共に曲番表示をしたりする。
【００３２】
次に、本実施形態の符号表示装置（１２０１）における処理の一例について述べると、図１５に示すように、先ず、電子機器（１１０３）〜（１１０６）から所定の情報を受信するまで待機し（ステップＳ１５０１）、受信した場合には該情報を、これと対応する符号情報に変換し（ステップＳ１５０２）、変換した情報を出力し（ステップＳ１５０３）、出力に基づいて符号を表示する（ステップＳ１５０４）すると共に、出力音を発生する（ステップＳ１５０５）。
【００３３】
本実施形態の符号表示装置によれば、サイクリングをしている女性は、聞いている音楽がアルバムの何曲目の曲かを知りつつ、ＧＰＳによる道案内を効率的に受け、また行く先々でデジタルカメラの残り撮影枚数を効率的に確認しながら進むことが可能となる。
【００３４】
（実施形態３）
【００３５】
図１６に示すように、本実施形態の符号表示装置（１６０１）は、ある家庭の主婦（１６０２）が所有する固定型のものである。そして、家庭には電子レンジ（１６０３）、冷蔵庫（１６０４）、洗濯機（１６０５）およびテレビ（１６０６）があり、これら電子機器（１６０３）〜（１６０６）における情報が符号表示装置（１６０１）に送信される。
【００３６】
なお、本実施形態の符号表示装置（１６０１）は、発光ダイオードおよび光ファイバーによる光点として符号を表示する。
【００３７】
本実施形態は、前記実施形態２の符号表示装置（１２０１）に更に、符号情報と対をなす出力音情報蓄積部および出力音情報取得部を付加したものである。
【００３８】
すなわち、図１７に示すように、本実施形態の符号表示装置（１６０１）は、発光ダイオードにより明滅可能な光点を複数配列して構成され、符号を表示するための情報である符号情報に基づいて前記複数配列された光点により符号を表示するための符号表示部（０２０２）と、前記電子機器（１６０３）〜（１６０６）からの情報を取得する情報取得部（０２０３）と、該情報取得部（０２０３）で取得した情報を符号情報に変換して符号表示部（０２０２）に出力する変換出力部（０２０４）と、符号表示部（０２０２）が符号を表示する際に音を発生する出力音発生部（１２０２）と、符合情報と対をなす出力音情報を蓄積した出力音情報蓄積部（１７０１）と、符号情報に基いて前記出力音情報蓄積部（１７０１）に蓄積されている出力音情報の中から前記符号情報に対応する出力音情報を取得する出力音情報取得部（１７０２）とを有する。
【００３９】
前記出力音情報蓄積部（１７０１）とは、前述した通り、符合情報と対をなす出力音情報を蓄積しているものであるが、具体的には図１８に示すように、各電子機器の名称（音として出力される電子機器の名称）と電子機器情報とが対になっているテーブルを有するものであり、ＨＤＤやメモリーカード等の記録媒体により実現される。
【００４０】
前記出力音情報取得部（１７０２）とは、前述した通り、出力音情報蓄積部（１７０１）に蓄積されている出力音情報の中から特定の出力音情報を取得するものであるが、具体的には前記出力音情報蓄積部（１７０１）のテーブルに基いて、例えば、電子レンジ（１６０３）からの情報があった場合には、「デンシレンジ」という出力音情報を取得し、また洗濯機（１６０５）からの情報があった場合には、「センタクキ」という出力音情報を取得するものである。
【００４１】
ここで、前記電子機器（１６０３）〜（１６０６）からの情報を具体的に説明すると、例えば電子レンジ（１６０３）では、調理が完了するまでの残り時間等であり、冷蔵庫（１６０４）では、ドアポケットに入れられた卵の個数等であり、洗濯機（１６０５）では、例えば洗濯完了までの残り時間であり、テレビ（１６０６）では、見たい番組の開始までの時間等である。
【００４２】
そして、図１９に示すように、各電子機器（１６０３）〜（１６０６）における情報は、符号表示装置（１６０１）の符号表示部（０２０２）に数字で表示されると共に、それらがどの電子機器（１６０３）〜（１６０６）からのものかを明らかにするために、「デンシレンジ」「レイゾウコ」「センタクキ」「テレビ」という名称が出力音として出力される。
【００４３】
次に、本実施形態の符号表示装置（１６０１）における処理の一例について述べると、図２０に示すように、先ず、電子機器（１６０３）〜（１６０６）から所定の情報を受信するまで待機し（ステップＳ２００１）、受信した場合には該情報を、これと対応する符号情報に変換し（ステップＳ２００２）、変換した情報を出力し（ステップＳ２００３）、これに基づいて符号を表示する（ステップＳ２００４）と共に、前記受信した電子機器（１６０３）〜（１６０６）に対応する出力音情報を取得し（ステップＳ２００５）、取得した出力音情報を発生する（ステップＳ２００６）。
【００４４】
本実施形態の符号表示装置によれば、主婦は、家事をしている際に、電子レンジで調理が終わるまでの時間や冷蔵庫中の卵の個数、洗濯の終了時間等といった種々の情報を効率的に得ることができる。
【００４５】
（実施形態４）
【００４６】
図２１に示すように、本実施形態の符号表示装置（２１０１）は、ある若い女性（２１０２）が所有するペンダントタイプのものである。そして、女性（２１０２）は、ＰＨＳ（２１０３）、ゲーム機（２１０４）およびセキュリティ用端末（２１０５）を携行している。
【００４７】
本実施形態の符号表示装置（２１０１）は、前記実施形態１における符号表示装置（１１０２）に、女性（２１０２）からの符号表示要求を受け付ける受付部を付加したものである。
【００４８】
すなわち、図２２に示すように、符号表示装置（２１０１）は、発光ダイオードにより明滅可能な光点を複数配列して構成され、符号を表示するための情報である符号情報に基づいて前記複数配列された光点により符号を表示するための符号表示部（０２０２）と、前記電子機器（２１０３）〜（２１０５）からの情報を取得する情報取得部（０２０３）と、前記情報取得部（０２０３）で取得した情報を符号情報に変換して符号表示部（０２０２）に出力する変換出力部（０２０４）と、ユーザーからの符号表示要求を受け付ける受付部（２２０１）とを有する。
【００４９】
符号表示部（０２０２）は、本実施形態では、発光ダイオードが同心状に配列されたものである。
【００５０】
前記受付部（２２０１）は、本実施形態では、前述した通り、ユーザー（若い女性）（２１０２）の要求に応じて、該女性（２１０２）が携行する電子機器（２１０３）〜（２１０５）における情報の提供を受け付けるものであって、情報取得部（０２０３）のトリガーとして機能するものである（図２２中１）。また、前記受付部（２２０１）は、前記女性が携行する電子機器の前記トリガーとなってもよいし、又は前記電子機器を制御して符号を表示する機能を有してもよい（図２２中２）。また、前記受付部（２２０１）は、前記変換出力部（０２０４）を制御して符号表示をする機能を有していてもよい（図２２中３）。また、前記受付部（２２０１）は、前記符号表示部（０２０２）を制御して符号表示をする機能を有していてもよい（図２２中４）。
【００５１】
ここで、電子機器（２１０３）〜（２１０５）からの情報とそれを符号表示部（０２０２）が表示する場合の具体例について説明すると、ＰＨＳ（２１０３）では、前記実施形態１における携帯電話（０１０３）と同様の情報の表示が行われ、ゲーム機（２１０４）では、図２３に示すように、現在プレイできるゲームソフト名の頭文字がアルファベットで表示され、セキュリティ端末（２１０５）では、図２４に示すように、自宅のセキュリティ状態が表示され、例えば自宅に異常がない場合には「○」が表示される。
【００５２】
次に、本実施形態の符号表示装置（２１０１）における処理の一例について説明すると、図２５に示すように、先ず女性（２１０２）からの符号の表示要求または電子機器における所定情報の受信があるまで待機し（ステップＳ２５０１）、これら表示要求や情報受信があった場合には、受信した情報を、これと対応する符号情報に変換し（ステップＳ２５０２）、変換した情報を出力し（ステップＳ２５０３）、最終的に出力した情報を表示する（ステップＳ２５０４）。
【００５３】
本発明の符号表示装置によれば、若い女性がセキュリティを含めて日常の情報を効率的に取得することができるという利点がある。
【００５４】
【発明の効果】
本発明の符号表示装置は、発光ダイオードにより明滅可能な光点を複数配列して構成され、符号を表示するための情報である符号情報に基づいて前記複数配列された光点により符号を表示するための符号表示部と、電子機器からの情報を取得する情報取得部と、前記情報取得部で取得した情報を符号情報に変換して符号表示部に出力する変換出力部とを有し、また必要に応じて更に、前記符号表示部が符号を表示する際に音を発生する出力音発生部や、異なる符号情報と対をなす出力音を蓄積した出力音蓄積部および符号情報に基づいて前記出力音蓄積部に蓄積されている出力音の中から前記符号情報と対応する出力音を取得する出力音取得部、並びにユーザーからの符号表示要求を受け付ける受付部を備えているため、当該符号表示装置のユーザーは、所有している各電子機器において、その都度、本当に必要な情報だけを効率的に取得すると共に、該情報に基づいてスムーズに行動することが可能となる。
【図面の簡単な説明】
【図１】実施形態１における全体構成を示す図
【図２】同実施形態における符号表示装置の機能ブロック図
【図３】同実施形態における符号表示装置の形態を示す図
【図４】同実施形態における携帯電話の符号表示例を示す図
【図５】同じく携帯電話の符号表示例を示す図
【図６】同実施形態におけるＰＤＡでの符号表示例を示す図
【図７】同実施形態におけるノート型パーソナルコンピュータでの符号表示例を示す図
【図８】同実施形態におけるボイスレコーダーでの符号表示例を示す図
【図９】同実施形態の変換出力部の構成を示す図
【図１０】同実施形態の符号表示装置における処理の一例を示すフローチャート
【図１１】実施形態２の全体構成を示す図
【図１２】同実施形態における符号表示装置の機能ブロック図
【図１３】同実施形態におけるＧＰＳでの符号表示例を示す図
【図１４】同実施形態におけるデジタルカメラでの符号表示例を示す図
【図１５】同実施形態の符号表示装置における処理の一例を示すフローチャート
【図１６】実施形態３の全体構成を示す図
【図１７】同実施形態における符号表示装置の機能ブロック図
【図１８】同実施形態の出力音情報蓄積部の構成を示す図
【図１９】同実施形態における符号表示例を示す図
【図２０】同実施形態の符号表示装置における処理の一例を示すフローチャート
【図２１】実施形態４の全体構成を示す図
【図２２】同実施形態における符号表示装置の機能ブロック図
【図２３】同実施形態におけるゲーム機での符号表示例を示す図
【図２４】同実施形態におけるセキュリティ端末での符号表示例を示す図
【図２５】同実施形態の符号表示装置における処理の一例を示すフローチャート
【符号の説明】
（０２０１）：  符号表示装置
（０２０２）：  符号表示部
（０２０３）：  情報取得部
（０２０４）：  変換出力部
（１２０２）：  出力音発生部
【図１】
2004219598.tif 000003
【図２】
2004219598.tif 000004
【図３】
2004219598.tif 000005
【図４】
2004219598.tif 000006
【図５】
2004219598.tif 000007
【図６】
2004219598.tif 000008
【図７】
2004219598.tif 000009
【図８】
2004219598.tif 000010
【図９】
2004219598.tif 000011
【図１０】
2004219598.tif 000012
【図１１】
2004219598.tif 000013
【図１２】
2004219598.tif 000014
【図１３】
2004219598.tif 000015
【図１４】
2004219598.tif 000016
【図１５】
2004219598.tif 000017
【図１６】
2004219598.tif 000018
【図１７】
2004219598.tif 000019
【図１８】
2004219598.tif 000020
【図１９】
2004219598.tif 000021
【図２０】
2004219598.tif 000022
【図２１】
2004219598.tif 000023
【図２２】
2004219598.tif 000024
【図２３】
2004219598.tif 000025
【図２４】
2004219598.tif 000026
【図２５】
2004219598.tif 000027